(57)【要約】【課題】ドレンパンに設けられたドレン口はスライムなどの除去作業時、メンテナンス性を配慮して大口径のものが要求され、ドレン口を封止するドレンキャップも大きな径のものが必要となる。ドレンキャップが大きくなることで、嵌合寸法の公差のバラツキも大きくなりドレン口との調整がうまくいかず水漏れの発生が起こり易くなる。またドレン口が大口径のためドレンキャップを外す時、大量の凝縮水が一気に下方に排水されるという課題を有していた【解決手段】ドレン口７とドレンキャップ８ａを機械的に固定し、さらに略中央部に排水孔９を設け、排水孔９を着脱自在の排水栓１０で封止することによりメンテナンス時の、作業性が維持でき、確実に封止することがでる。また凝縮水のみを排出する場合は、小径の排水孔９のため、一気に大量の凝縮水を下方に排水されることを防ぐことが可能となる。【選択図】図１
2007085690.tif 000002
【特許請求の範囲】
【請求項１】
天井内に配置される室内機本体内部に、送風機と、熱交換器と、冷房運転時に前記熱交換器で生成されるドレン水を受けるドレンパンと、前記ドレンパンに溜まったドレン水を外部に排水するドレンポンプとを備え、前記ドレンパンには、前記ドレンポンプの下方にドレン水を別途排水するためのドレン口と、前記ドレン口を封止するドレンキャップとを有し、前記ドレンキャップは前記ドレン口に対して着脱自在で水密的に固定できるように構成し、さらに前記ドレンキャップの略中央部に排水孔を設け、前記排水孔に対して着脱自在で水密的に固定できる排水栓を設けたことを特徴とする空気調和機。
【請求項２】
ドレンキャップは樹脂材料で成型し、ドレン口にねじ込んでＯリングを介して固定する構成としたことを特徴とする請求項１記載の空気調和機。
【請求項３】
ドレンキャップに、排水ホースを接続するためのホース接続口を設けたことを特徴とする請求項１又は２記載の空気調和機。
【請求項４】
排水栓をドレンキャップに装着した時、前記排水栓の下端が前記ドレンキャップの下端より突出しないように構成したことを特徴とする請求項１から３のうちいずれか一項記載の空気調和機。
【発明の詳細な説明】
【技術分野】
【０００１】
本発明は空気調和機の特にドレンパンに設けられた排水用ドレンキャップのメンテナンス性向上と水漏れに対する信頼性の改善に関するものである。
【背景技術】
【０００２】
従来、この種の空気調和機は天井内に設置されており、ドレン排水の詰まりやドレンポンプの故障、また空気調和機を長期使用することによりドレンパン内部に蓄積されたスライムを除去するなどのメンテナンスの際、容易に作業を行なうためドレンパンに大口径のドレン口が設けられ、そのドレン口を封止するため容易に脱着可能で弾性材料を使用したドレンキャップを配した構造が一般的である（例えば、特許文献１参照）。
【０００３】
図７は、特許文献１に記載された従来の空気調和機の断面図を示すものである。また図８は従来の空気調和機のドレン口周辺詳細図を示すものである。図７、図８に示すように、空気調和機本体１の内部に、送風機２が配置されている。その外周に熱交換器３が配置され、熱交換器３の下方に冷房運転時に熱交換器３から生成された凝縮水を受けるドレンパン４が配置されている。ドレンパン４に溜まった凝縮水はドレンポンプ５にて汲み上げられドレン排水口６を経由して空気調和機本体１から外部へと放出される。ドレンパン４には、ドレン排水管の詰まりや、ドレンポンプ５の故障の際に強制的にドレンパン４に溜まった凝縮水を空気調和機本体１の外部へ排出させるためや、空気調和機本体１を長期間使用することによりドレンパン４内部で生成、蓄積されたスライムを除去するなどのメンテナンス時のためにドレンパン４内のドレンポンプ５の下方にドレン口７が設けられており、またドレン口７を封止するために、ドレン口７の内周に常時圧力が作用するように構成されたドレンキャップ８が取付けられている。通常ドレンキャップ８はメンテナンスを容易にするため可能な限り大口径のものを使用し、また着脱も容易で、かつ水漏れの発生がしにくいように弾性材料で成型されているのが一般的である。
【特許文献１】特開平５−１１８５７４号公報
【発明の開示】
【発明が解決しようとする課題】
【０００４】
しかしながら、前記従来の構成では、ドレン口７はメンテナンス性向上のため、大口径のものが要求されており、そのためドレン口７を塞ぐドレンキャップ８も大きな径のものが必要となる。しかしドレンキャップ８を大きくすることでドレン口７とドレンキャップ８の寸法公差範囲のバラツキが大きくなり、ドレン口７との嵌合調整がうまくいかず水漏れの発生が起こり易くなるという課題を有していた。またドレン口７の口径が大きくなることで、ドレンパン４に溜まった凝縮水をドレン口７から排水するとき一気に大量の凝縮水が空気調和機の下方に排水されるという課題を有していた。
【０００５】
本発明は、前記従来の課題を解決するもので、ドレン口が大口径になってもドレンキャップとドレン口が確実に嵌合され、嵌合部からの水漏れがなく、またドレンパン４に溜まった凝縮水をドレン口７から排水するとき一気に大量の凝縮水が空気調和機の下方に排水されることがない空気調和機を提供することを目的とする。
【課題を解決するための手段】
【０００６】
前記従来の課題を解決するために、本発明の空気調和機は、天井内に配置される室内機本体内部に、送風機と、熱交換器と、ドレンポンプとドレンパンを備えた空気調和機において前記熱交換器で生成されるドレン水を受けるドレンパンと、前記ドレンパンに溜まったドレン水を外部に排水するドレンポンプとを備え、前記ドレンパンには、前記ドレンポ
ンプの下方にドレン水を別途排水するためのドレン口と、前記ドレン口を封止するドレンキャップとを有し、前記ドレンキャップは前記ドレン口に対して着脱自在で水密的に固定できるように構成し、さらに前記ドレンキャップの略中央部に排水孔を設けたものである。これにより、排水孔に対して着脱自在で水密的に固定できる排水栓を設けることで、排水栓は凝縮水の排水のみに利用されるため小径にでき、そのためドレン口との嵌合精度を上げることができることで品質向上が図れる。さらにドレンパンに溜まった凝縮水を小径にした排水孔を外すことで、一気に大量の凝縮水が下方に排水されることを防ぐことができる。またドレン口は大口径でメンテナンス時の、作業性を容易にし、さらに機械的に固定することで水密性に優れ弾性材料を使用した場合と比較して、確実に封止することが可能となる。
【発明の効果】
【０００７】
本発明の空気調和機は、ドレンパンに設けられたドレン口と前記ドレン口を封止するドレンキャップの構造に関して、ドレンパンのメンテナンス時の作業性を容易にし、ドレンキャップの水密性に優れ、ドレンパンに溜まった凝縮水の排出時の作業性を向上することができる。
【発明を実施するための最良の形態】
【０００８】
第１の発明は、天井内に配置される室内機本体内部に、送風機と、熱交換器と、冷房運転時に前記熱交換器で生成されるドレン水を受けるドレンパンと、前記ドレンパンに溜まったドレン水を外部に排水するドレンポンプとを備え、前記ドレンパンには、前記ドレンポンプの下方にドレン水を別途排水するためのドレン口と、前記ドレン口を封止するドレンキャップとを有した空気調和機においてドレンキャップは前記ドレン口に対して着脱自在で水密的に固定できるように構成し、さらに前記ドレンキャップの略中央部に排水孔を設け、前記排水孔に対して着脱自在で水密的に固定できる排水栓を設けたもので、これにより、前記排水栓は凝縮水の排水のみに利用されるため小径になることで、嵌合精度を上げることができ、品質向上が図れるさらにドレンパンに溜まった凝縮水を小径にした排水孔を外すことで、一気に大量の凝縮水が下方に排水されることを防ぐことができる。またドレン口は大口径でメンテナンス時の、作業性を容易にし、さらに機械的に固定することで水密性に優れ弾性材料を使用した場合と比較して、確実に封止することが可能となる。
【０００９】
第２の発明は、特に、第１の発明の空気調和機において、ドレンキャップは樹脂材料で成型し、ドレン口にねじ込んでＯリングを介して固定する構成としたもので、ドレンキャップをドレン口とドレンキャップとの機械的固定部と合わせてさらにＯリングでシールされるため、二重構造によるより確実な水漏れ防止が可能となる。
【００１０】
第３の発明は、特に、第１又は第２の発明の空気調和機において、ドレンキャップに、排水ホースを接続するためのホース接続口を設けたもので、ドレンパンに溜まった凝縮水を排出するとき市販の排水ホースを接続することができ、空気調和機の下方に漏らすことがなく、また任意の場所に排出させることができる。
【００１１】
第４の発明は、特に、第１から第３の発明の空気調和機において、排水栓をドレンキャップに装着した時、排水栓の下端がドレンキャップの下端より突出しないように構成したもので、これにより、化粧パネルなどを取付け時、化粧パネルとの接触面に排水栓が当たることがなく、化粧パネルの形状の簡素化が図れ、また化粧パネルと空気調和機との密着性も図ることができる。
【００１２】
以下、本発明の実施の形態について、図面を参照しながら説明する。なお、この実施の形態によって本発明が限定されるものではない。
【００１３】
（実施の形態１）
図１は、本発明の第１の実施の形態における空気調和機のドレン口周辺詳細図を示すものである。また、図２はそのドレン口周辺の断面図を示すものである。
【００１４】
図１と図２において、空気調和機本体１の内部に熱交換器３が配置され、前記熱交換器３から生成された凝縮水を受けるドレンパン４が配置されている。前記ドレンパン４に溜まった凝縮水はドレンポンプ５にて汲み上げられドレン排水口６を経由して空気調和機本体１から外部へと放出される。前記ドレンパン４には、ドレン排水管の詰まりや、ドレンポンプ５の故障の際に強制的にドレンパン４に溜まった凝縮水を空気調和機本体１の外部へ排出させるためや、空気調和機本体１を長期使用することによりドレンパン４内部で生成、蓄積されたスライムを除去するなどのメンテナンス時のためにドレンパン４内のドレンポンプ５の下方にメンテナンス性を重視した大口径のドレン口７が設けられており、このドレン口７を封止するために、ドレン口７の内周にネジにより機械的に取付け可能に構成されたドレンキャップ８ａが取付けられている。
【００１５】
ドレンキャップ８ａの略中央部には前記熱交換器３で生成された凝縮水を空気調和機本体１の外部へ排出させるため、小径の排水孔９が設けられている。さらに通常使用時に排水孔９を封止するため、着脱自在で水密的に固定できるように構成された、さらに小径の排水栓１０が設けられている。
【００１６】
以上のように構成された空気調和機について、以下その動作、作用を説明する。空気調和機本体１を長期使用することによりドレンパン４内部で生成、蓄積されたスライムなどを除去する場合は、大口径に設定されたドレン口７からドレンキャップ８ａを外すことでドレンパンのメンテナンス時の、作業性を容易にし、またドレンキャップ８ａを機械的に固定することにより水密性に優れ、弾性材料を使用した場合と比較しても確実に封止することが可能となる。また、熱交換器３で生成された凝縮水のみを空気調和機本体１の外部へ排出させるためには、ドレンキャップ８ａの略中央部に設けた小径の排水孔９で事足りるものであり、通常使用時には、着脱自在で水密的に固定できるように構成された排水栓１０で排水孔９を封止している。また、排水孔９が小径のため一気に大量の凝縮水が空気調和機の下方に排水されることを防ぐことができ、排水孔９を封止する排水栓１０も小径となることで、排水孔９との嵌合精度も上がり、嵌合部からの水漏れを大幅に減少することができる。
【００１７】
（実施の形態２）
図３は、本発明の第２の実施の形態における空気調和機ドレン口周辺詳細図を示すものである。図３において、ドレンパン４内に設けられた大口径のドレン口７の内周に機械的にドレンキャップ８ａが取付けられ、ドレンキャップ８ａの略中央部には小径の排水孔９と排水栓１０が構成されているのは、図２と同様である。
【００１８】
本実施の形態２では、さらにドレンキャップ８ａは樹脂材料で成型し、前記ドレン口７とドレンキャップ８ａが嵌合する内壁面に複数個のＯリング１１を介して、ドレン口７にねじ込んで固定するように構成されている。
【００１９】
以上のように構成された空気調和機においては、さらにドレン口とドレンキャップとの機械的固定部によるシールに加えてさらにＯリングでシールされるため、二重構造による水漏れ防止が可能となる。
【００２０】
（実施の形態３）
図４は、本発明の第１の実施の形態における空気調和機のドレン口周辺詳細図を示すものである。また、図５はそのドレン口周辺の断面図を示すものである。
【００２１】
図４、図５において、空気調和機本体１の内部に熱交換器３が配置され、熱交換器３から生成された凝縮水を受けるドレンパン４が配置されている。ドレンパン４に溜まった凝縮水はドレンポンプ５にて汲み上げられドレン排水口６を経由して空気調和機本体１から外部へと放出される。ドレンパン４には、ドレン排水管の詰まりや、ドレンポンプ５の故障の際に強制的にドレンパン４に溜まった凝縮水を空気調和機本体１の外部へ排出させるためや、空気調和機本体１を長期使用することによりドレンパン４内部で生成、蓄積されたスライム除去などのメンテナンス時のためにドレンパン４内のドレンポンプ５の下方にメンテナンス性を重視した大口径のドレン口７が設けられており、またドレン口７を封止するために、ドレン口７の内周に機械的に取付け構成されたドレンキャップ８ｂが取付けられている。ドレンキャップ８ｂには、略中央部に排水ホース１２を接続するためのホース接続口１３が設けられ、合わせてドレンキャップ８ｂの略中央部には熱交換器３で生成された凝縮水のみを空気調和機本体１の外部へ排出させるため、小径の排水孔９が設けられている。さらに通常使用時に排水孔９を封止するため、着脱自在で水密的に固定できるように構成され、さらに小径の排水栓１０で構成されている。
【００２２】
以上のように構成された空気調和機について、以下その動作、作用を説明する。空気調和機本体１を長期使用することによりドレンパン４内部で生成、蓄積されたスライムなどを除去する場合は、大口径に設定されたドレン口７からドレンキャップ８ｂを外し、メンテナンスすることで、作業性は維持しすることができ、またドレンキャップ８ｂを機械的に固定することにより、水密性に優れ確実に封止することができる。また、熱交換器３で生成された凝縮水のみを、排出する場合は、小径で寸法精度が高く着脱自在で水密的にすぐれた排水栓１０で構成されることで、排水孔９が小径のため一気に大量の凝縮水が空気調和機の下方に排水されることを防ぐことができる。また排水栓１０を外した後、排水ホース１２をドレンキャップ８ｂに設けられたホース接続口１３に接続することで、空気調和機の下方に漏らすことがなく、またホースの調整により任意の場所に凝縮水を排出させることができる。
【００２３】
（実施の形態４）
図６は、本発明の第１の実施の形態における空気調和機のドレン口周辺詳細図を示すものである。図６においては、図５に対して、ドレンキャップ８ｂに設けられたホース接続口１３は、排水栓１０をドレンキャップ８ｂの排水孔９に装着した時、排水栓１０の下端がドレンキャップ８ｂの下端より突出しないように構成している。
【００２４】
以上のように構成された空気調和機については、実施の形態３に加えて、さらに化粧パネル取付け時、化粧パネルとの接触面に排水栓が当たることがなく、化粧パネルの形状の簡素化が図れ、また化粧パネルと空気調和機との密着性も図ることができる。
【産業上の利用可能性】
【００２５】
以上のように、本発明にかかる空気調和機は、ドレンパンに設けられた大口径のドレン口の内周に機械的にドレンキャップが取付けられ、ドレンキャップの略中央部には小径の排水孔と排水栓が構成されて、メンテナンス時の作業性に優れているので、天井内に設置される室内機に限らず、ドレンポンプを使用して排水を行う機器に広く適用できるものである。
【図面の簡単な説明】
【００２６】
【図１】本発明の実施の形態１における空気調和機のドレン口周辺の断面図
【図２】本発明の実施の形態１における空気調和機の要部断面図
【図３】本発明の実施の形態２における空気調和機の要部断面図
【図４】本発明の実施の形態３における空気調和機のドレン口周辺の断面図
【図５】本発明の実施の形態３における空気調和機の要部断面図
【図６】本発明の実施の形態４における空気調和機の要部断面図
【図７】従来の空気調和機の断面図
【図８】従来の空気調和機のドレン口周辺の断面図
【符号の説明】
【００２７】
１  空気調和機本体
２  送風機
３  熱交換器
４  ドレンパン
５  ドレンポンプ
７  ドレン口
８ａ，８ｂ  ドレンキャップ
９  排水孔
１０  排水栓
１１  Ｏリング
１２  排水ホース
１３  ホース接続口
【図１】
2007085690.tif 000003
【図２】
2007085690.tif 000004
【図３】
2007085690.tif 000005
【図４】
2007085690.tif 000006
【図５】
2007085690.tif 000007
【図６】
2007085690.tif 000008
【図７】
2007085690.tif 000009
【図８】
2007085690.tif 000010